(57)【要約】      （修正有）【課題】房留めのない部屋のカーテンの開閉をした時、カーテンのまとめを簡単容易にするカーテン束ね具を提供する。【解決手段】カーテンの端部にタッセル４と結合されたクリップ１を挟み留め付け、部屋に房留めがなくても、カーテンを閉じた時はカーテンの端部にクリップ１で挟み留められているので、カーテンを開いたときはカーテン端部にクリップ１で留めつけたタッセル４のタッセル紐３を自在に動かしカーテンを束ねまとめ留められ、カーテンを閉じた際はタッセル４がクリップ１によりカーテン端部に留めつけられている。【選択図】図１
0003201053.tif 000002
【実用新案登録請求の範囲】
【請求項１】
カーテンの端部にタッセルと結合されたフックを挟み留め付け、部屋に房留めがなくても、カーテンを閉じた時はカーテンの端部にフックで挟み留められているので、カーテンを開いたときはカーテン端部にフックで留めつけたタッセルのタッセル紐を自在に動かしカーテンを束ねまとめ留められ、カーテンを閉じた際はタッセルがフックによりカーテン端部に留めつけられているカーテン束ね具。
【考案の詳細な説明】
【技術分野】
【０００１】
この考案は、カーテン房留めがなくてもカーテンの開閉を簡単にできるように、タッセルにフックを結合して、タッセルをカーテン端部にフックで留めつけられるようにしたカーテン束ね具に関するものである。
【背景技術】
【０００２】
従来、房留めを使いカーテンを開く時はタッセルでカーテンを束ね包み、タッセルを窓枠等に設けた房留めにとめていた。カーテンを閉める時はカーテンを束ねていたタッセルを外して房留めに付け留めていた。
【考案の概要】
【考案が解決しようとする課題】
【０００３】
そのために次のような問題点があつた。
カーテンを開け束ね留めるには窓の両側に房留めを取り付けなければカーテンを束ね留められなかった。
【課題を解決するための手段】
【０００４】
タッセルにカーテンを留められるフックを留め付け、カーテンの端部にタッセルを結合したフックを留め付け、カーテンを開いたときは、カーテンに留め付けられたタッセル紐でカーテンを束ね留めればカーテンが綺麗に収まる。カーテンを閉じたときはカーテン端部にタッセルが結合されたフックで留め付いているために、タッセルや紐を部屋のどこに置いたとかで探す手間などがなくなる。
【考案の効果】
【０００５】
房留めを取り付けられない部屋のカーテンはカーテンを開いた時はまとまりがなく部屋が綺麗に見えなかつた。また紐などを利用してカーテンを束ね縛り押さえているとカーテンを閉じた時にカーテンを閉じ縛っていた紐などお部屋のどこかに置いてカーテンを開けた時、紐がみっけられない時があり不便であった。本考案をカーテンの端部に留め付けていれば、カーテンを開けた時はカーテンの端部に留め付けられているタッセルでカーテンを束ね止められ簡単にカーテンを束ねる事が出来る。またカーテンを閉じた時はタッセルと結合したフックでカーテン端部に挟み留まりタッセルがつり下がっているので、タッセルを部屋のどこに置いたとかが無くなりカーテンを開閉がスムーズになる。またカーテンを留める房留めを柱や壁に無理に付けなくても部屋のカーテン処置が簡単にできる。              
【図面の簡単な説明】
【０００６】
【図１】本考案のカーテン束ね具の斜視図
【図２】本考案のフック、帯状プラスチック、タッセルの結合前のカーテン束ね具の側面図
【図３】本考案のカーテン束ね具を留め付けたカーテンを閉じた状態を示す図
【図４】本考案のカーテン束ね具を留め付けたカーテンを開けた状態を示す図
【図５】本考案の帯状プラスチックの斜視図
【考案を実施するための形態】
【０００７】
以下本考案の実施の形態について説明する。
図１を説明する。プラスチックで出来たフック1端にフック凸2（凸上部は帯状プラスチック６の穴と結合され離脱防止の為、穴より大きく出来ている）を作り、タッセル紐3がフック1と結合されるように、フック1のフック凸2に帯状プラスチック6の帯状プラスチック穴7を刺しこみフック1と帯状プラスチック6を結合させ、タッセル紐3を帯状プラスチック6の帯状プラスチック穴8と帯状プラスチック凸9の間に乗せ、帯状プラスチック6の帯状プラスチック穴8を帯状プラスチック6に設けた帯状プラスチック凸9に刺しこみ、帯状プラスチック6端部を輪5状にしてタッセル紐3固定されず包み、輪5の中でタッセル4が自在に動かせるカーテン束ね具。輪５はフック１に帯状プラスチック６を設けず、フック１表面に穴を設けタッセル紐３を通し付けてもよい。  
次に図３を説明する。カーテンを閉じた時、タッセル紐３タッセル４はフック１と帯状プラスチック６で結合された輪５に垂れさがりフック１のフックでカーテン１０の端部１１に挟み留められている。タッセル４は、フック１によりカーテン端部１１に挟み留められているで、カーテン端部１１にタッセル４がつり下がり留まっている。
次に図４を説明する。カーテン１０を開けた時タッセル４はフックのフック1でカーテン端部１１に挟み留められ、フック１と帯状プラスチック６の結合された輪５にタッセル紐３が垂れさがつているので束ねたカーテン１０を自在に動かせるタッセル紐３で結び束ねとめる事が出来る。
次に図５を説明する。帯状プラスチック６の両端部にフック１のフック凸２と結合される穴７、帯状プラスチック６の凸９に結合される穴８を設けた図である。
本考案は、カーテンを束ねるカーテン束ね具に関する考案であって、タッセル紐とフックとを結合させたことを特徴とするカーテン束ね具である。使用方法としてはカーテンの端部にフックを止めつけておいて、カーテンを束ねる際はフックに結合されたタッセル紐でカーテンを束ね、束ねた状態を開放する際は束ねたタッセル紐を外すものである。タッセル紐を外しても、タッセル紐はフックによってカーテンの端部付近に留め付けられている。
【符号の説明】
【０００８】
１  フック
２  フック凸
３  タッセル紐
４  タッセル
５  輪
６  帯状プラスチック
７  帯状プラスチック穴
８  帯状プラスチック穴
９  帯状プラスチック凸
１０カーテン
１１カーテン端部
【図１】
0003201053.tif 000003
【図２】
0003201053.tif 000004
【図３】
0003201053.tif 000005
【図４】
0003201053.tif 000006
【図５】
0003201053.tif 000007
【手続補正書】
【提出日】平成27年9月4日(2015.9.4)
【手続補正１】
【補正対象書類名】実用新案登録請求の範囲
【補正対象項目名】全文
【補正方法】変更
【補正の内容】
【実用新案登録請求の範囲】
【請求項１】
カーテンの端部にタッセルと結合されたクリップを挟み留め付け、部屋に房留めがなくても、カーテンを閉じた時はカーテンの端部にクリップで挟み留められているので、カーテンを開いたときはカーテン端部にクリップで留めつけたタッセルのタッセル紐を自在に動かしカーテンを束ねまとめ留められ、カーテンを閉じた際はタッセルがクリップによりカーテン端部に留めつけられているカーテン束ね具。
【手続補正２】
【補正対象書類名】明細書
【補正対象項目名】全文
【補正方法】変更
【補正の内容】
【考案の詳細な説明】
【技術分野】
【０００１】
この考案は、カーテン房留めがなくてもカーテンの開閉を簡単にできるように、タッセルにクリップを結合して、タッセルをカーテン端部にクリップで留めつけられるようにしたカーテン束ね具に関するものである。
【背景技術】
【０００２】
従来、房留めを使いカーテンを開く時はタッセルでカーテンを束ね包み、タッセルを窓枠等に設けた房留めにとめていた。カーテンを閉める時はカーテンを束ねていたタッセルを外して房留めに付け留めていた。
【考案の概要】
【考案が解決しようとする課題】
【０００３】
そのために次のような問題点があつた。
カーテンを開け束ね留めるには窓の両側に房留めを取り付けなければカーテンを束ね留められなかった。
【課題を解決するための手段】
【０００４】
タッセルにカーテンを留められるクリップを留め付け、カーテンの端部にタッセルを結合したクリップを留め付け、カーテンを開いたときは、カーテンに留め付けられたタッセル紐でカーテンを束ね留めればカーテンが綺麗に収まる。カーテンを閉じたときはカーテン端部にタッセルが結合されたクリップで留め付いているために、タッセルや紐を部屋のどこに置いたとかで探す手間などがなくなる。
【考案の効果】
【０００５】
房留めを取り付けられない部屋のカーテンはカーテンを開いた時はまとまりがなく部屋が綺麗に見えなかつた。また紐などを利用してカーテンを束ね縛り押さえているとカーテンを閉じた時にカーテンを閉じ縛っていた紐などお部屋のどこかに置いてカーテンを開けた時、紐がみっけられない時があり不便であった。本考案をカーテンの端部に留め付けていれば、カーテンを開けた時はカーテンの端部に留め付けられているタッセルでカーテンを束ね止められ簡単にカーテンを束ねる事が出来る。またカーテンを閉じた時はタッセルと結合したクリップでカーテン端部に挟み留まりタッセルがつり下がっているので、タッセルを部屋のどこに置いたとかが無くなりカーテンを開閉がスムーズになる。またカーテンを留める房留めを柱や壁に無理に付けなくても部屋のカーテン処置が簡単にできる。    
【図面の簡単な説明】
【０００６】
【図１】本考案のカーテン束ね具の斜視図
【図２】本考案のクリップ、帯状プラスチック、タッセルの結合前のカーテン束ね具の側面図
【図３】本考案のカーテン束ね具を留め付けたカーテンを閉じた状態を示す図
【図４】本考案のカーテン束ね具を留め付けたカーテンを開けた状態を示す図
【図５】本考案の帯状プラスチックの斜視図
【考案を実施するための形態】
【０００７】
以下本考案の実施の形態について説明する。
図１を説明する。プラスチックで出来たクリップ1端にクリップ凸2（凸上部は帯状プラスチック６の穴と結合され離脱防止の為、穴より大きく出来ている）を作り、タッセル紐3がクリップ1と結合されるように、クリップ1のクリップ凸2に帯状プラスチック6の帯状プラスチック穴7を刺しこみクリップ1と帯状プラスチック6を結合させ、タッセル紐3を帯状プラスチック6の帯状プラスチック穴8と帯状プラスチック凸9の間に乗せ、帯状プラスチック6の帯状プラスチック穴8を帯状プラスチック6に設けた帯状プラスチック凸9に刺しこみ、帯状プラスチック6端部を輪5状にしてタッセル紐3固定されず包み、輪5の中でタッセル4が自在に動かせるカーテン束ね具。輪５はクリップ１に帯状プラスチック６を設けず、クリップ１表面に穴を設けタッセル紐３を通し付けてもよい。  
次に図３を説明する。カーテンを閉じた時、タッセル紐３タッセル４はクリップ１と帯状プラスチック６で結合された輪５に垂れさがりクリップ１でカーテン１０の端部１１に挟み留められている。タッセル４は、クリップ１によりカーテン端部１１に挟み留められているで、カーテン端部１１にタッセル４がつり下がり留まっている。
次に図４を説明する。カーテン１０を開けた時タッセル４はクリップ1でカーテン端部１１に挟み留められ、クリップ１と帯状プラスチック６の結合された輪５にタッセル紐３が垂れさがつているので束ねたカーテン１０を自在に動かせるタッセル紐３で結び束ねとめる事が出来る。
次に図５を説明する。帯状プラスチック６の両端部にクリップ１のクリップ凸２と結合される穴７、帯状プラスチック６の凸９に結合される穴８を設けた図である。
本考案は、カーテンを束ねるカーテン束ね具に関する考案であって、タッセル紐とクリップとを結合させたことを特徴とするカーテン束ね具である。使用方法としてはカーテンの端部にクリップを止めつけておいて、カーテンを束ねる際はクリップに結合されたタッセル紐でカーテンを束ね、束ねた状態を開放する際は束ねたタッセル紐を外すものである。タッセル紐を外しても、タッセル紐はクリップによってカーテンの端部付近に留め付けられている。
【符号の説明】
【０００８】
１  クリップ
２  クリップ凸
３  タッセル紐
４  タッセル
５  輪
６  帯状プラスチック
７  帯状プラスチック穴
８  帯状プラスチック穴
９  帯状プラスチック凸
１０カーテン
１１カーテン端部